(57)【要約】【課題】無端ベルトの交換を容易に行うことができる画像形成装置を提供する。【解決手段】筐体に、張力が付与された状態で表面が移動可能に支持された無端ベルトと、無端ベルトが張架されるとともに、軸線回りに回転し軸線と交差する方向に移動可能に支持された回転部材と、筐体の両側面に設けられ、無端ベルトの張力を付与する方向に回転部材を付勢する一対の張力付与手段と、無端ベルトの張力が減少する方向に回転部材を移動させて張力を解除した状態を、無端ベルトを介して保持する保持部材と、を備え、一対の張力付与手段の一方が、保持部材を介して張力を解除した状態で、筐体の一面側から着脱可能に設けられている。【選択図】図４
2015165263.tif 000002
【特許請求の範囲】
【請求項１】
筐体と、
前記筐体に、張力が付与された状態で表面が移動可能に支持された無端ベルトと、
前記無端ベルトが張架されるとともに、軸線回りに回転し前記軸線と交差する方向に移動可能に支持された回転部材と、
前記筐体の両側面に設けられ、前記無端ベルトの張力を付与する方向に前記回転部材を付勢する一対の張力付与手段と、
前記無端ベルトの張力が減少する方向に前記回転部材を移動させて張力を解除した状態を、前記無端ベルトを介して保持する保持部材と、を備え、
前記一対の張力付与手段の一方が、前記保持部材を介して前記張力を解除した状態で、前記筐体の一面側から着脱可能に設けられている、
ことを特徴とする画像形成装置。
【請求項２】
前記無端ベルトが、前記張力付与手段の一方が着脱される前記筐体の一面側から着脱される、
ことを特徴とする請求項１に記載の画像形成装置。
【請求項３】
前記回転部材が、着脱される前記張力付与手段の一方と一体として着脱可能に支持されている、
ことを特徴とする請求項１又は２に記載の画像形成装置。
【請求項４】
前記張力付与手段が、前記筐体に着脱可能に固定された支持体、前記回転部材を回転可能に支持し前記支持体に移動可能に支持されたスライド部材、一端が前記支持体に固定され他端が前記スライド部材を前記回転部材の軸線と交わる方向に付勢する弾性部材、からなる、
ことを特徴とする請求項１ないし３のいずれか１項に記載の画像形成装置。
【請求項５】
前記保持部材が、前記回転部材が前記無端ベルトの張力が減少する方向に移動して張力を解除した解除位置で、前記支持部材に設けられた係止孔に、前記スライド部材に設けられた被係止孔を係止するように嵌挿されて、前記張力付与手段が張力を解除した状態で保持される、
ことを特徴とする請求項１ないし４のいずれか１項に記載の画像形成装置。
【発明の詳細な説明】
【技術分野】
【０００１】
本発明は、画像形成装置に関する。
【背景技術】
【０００２】
弾性部材から形成され表面に多数のスリットが形成されるロールと、ロールを回転自在に軸支する支持部材と、ロールの両側面の軸に軸方向に摺動自在に軸支されるとともに、支持部材に対してベルト両端部を弾性支持するベルト蛇行規制部材と、無端ベルトに張力を付与させるために支持部材に設けられる張力付与機構と、該張力付与機構の動作を解除させる張力解除機構と、ロールを軸方向に傾動させるための傾動機構とを備えた無端ベルト搬送装置が知られている（特許文献１）。
【０００３】
ベルトを支持する複数本のロールと、複数本のロールのうちの少なくとも１本がベルトのテンションを解除する方向へ移動できるロール移動機構と、複数本のロール間に配置されロール移動機構によってテンションが解除されたベルトの内側端面を保持する如く回転するベルト交換用支持部材とを有し、複数本のロールを除くベルトとベルト交換用支持部材の部分を交換部分としたベルトカートリッジも知られている（特許文献２）。
【先行技術文献】
【特許文献】
【０００４】
【特許文献１】特開平６−６４７７２号公報
【特許文献２】特開平８−１２３２９４号公報
【発明の概要】
【発明が解決しようとする課題】
【０００５】
本発明は、無端ベルトの交換を容易に行うことができる画像形成装置を提供することを目的とする。
【課題を解決するための手段】
【０００６】
前記課題を解決するために、請求項１に記載の画像形成装置は、
筐体と、
前記筐体に、張力が付与された状態で表面が移動可能に支持された無端ベルトと、
前記無端ベルトが張架されるとともに、軸線回りに回転し前記軸線と交差する方向に移動可能に支持された回転部材と、
前記筐体の両側面に設けられ、前記無端ベルトの張力を付与する方向に前記回転部材を付勢する一対の張力付与手段と、
前記無端ベルトの張力が減少する方向に前記回転部材を移動させて張力を解除した状態を、前記無端ベルトを介して保持する保持部材と、を備え、
前記一対の張力付与手段の一方が、前記保持部材を介して前記張力を解除した状態で、前記筐体の一面側から着脱可能に設けられている、
ことを特徴とする。
【０００７】
請求項２記載の発明は、請求項１に記載の画像形成装置において、
前記無端ベルトが、前記張力付与手段の一方が着脱される前記筐体の一面側から着脱される、
ことを特徴とする。
【０００８】
請求項３記載の発明は、請求項１又は２に記載の画像形成装置において、
前記回転部材が、着脱される前記張力付与手段の一方と一体として着脱可能に支持されている、
ことを特徴とする。
【０００９】
請求項４記載の発明は、請求項１ないし３のいずれか１項に記載の画像形成装置において、
前記張力付与手段が、前記筐体に着脱可能に固定された支持体、前記回転部材を回転可能に支持し前記支持体に移動可能に支持されたスライド部材、一端が前記支持体に固定され他端が前記スライド部材を前記回転部材の軸線と交わる方向に付勢する弾性部材、からなる、
ことを特徴とする。
【００１０】
請求項５記載の発明は、請求項１ないし４のいずれか１項に記載の画像形成装置において、
前記保持部材が、前記回転部材が前記無端ベルトの張力が減少する方向に移動して張力を解除した解除位置で、前記支持部材に設けられた係止孔に、前記スライド部材に設けられた被係止孔を係止するように嵌挿されて、前記張力付与手段が張力を解除した状態で保持される、
ことを特徴とする。
【発明の効果】
【００１１】
請求項１に記載の発明によれば、本構成を有しない場合に比して、無端ベルトの交換を容易に行うことができる。
請求項２に記載の発明によれば、本構成を有しない場合に比して、無端ベルトの交換を効率的に行うことができる。
請求項３に記載の発明によれば、本構成を有しない場合に比して、張力付与手段と回転部材を一体的に着脱することができる。
請求項４に記載の発明によれば、本構成を有しない場合に比して、回転部材を無端部材の張力を付与する方向と、張力が減少する方向に移動させることができる。
請求項５に記載の発明によれば、本構成を有しない場合に比して、容易に張力付与手段を張力解除状態に保持することができる。
【図面の簡単な説明】
【００１２】
【図１】画像形成装置１の内部構成を示す断面模式図である。
【図２】転写ユニット５０の内部構成を示す斜視図である。
【図３】転写ユニット５０のテンションローラ５６を支持するテンション機構１００を示す部分斜視図である。
【図４】（ａ）はテンションローラ５６に張力が付与されている状態のテンション機構１００の透過図、（ｂ）はテンションローラ５６の張力が解除されるときのスライド部材１２０の移動を示すテンション機構１００の透過図である。
【図５】画像形成装置１本体への転写ユニット５０の着脱を示す斜視図である。
【図６】転写ユニット５０からテンションローラ５６とテンション機構１００を一体として交換する状態を示す斜視図である。
【発明を実施するための形態】
【００１３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１４】
（１）画像形成装置の全体構成及び動作
図１は本実施形態に係る画像形成装置１の内部構成を示す断面模式図である。
以下、図面を参照しながら、画像形成装置１の全体構成及び動作を説明する。
【００１５】
画像形成装置１は、制御装置１０、給紙装置２０、感光体ユニット３０、現像ユニット４０、転写ユニット５０、定着装置６０、を備えて構成されている。画像形成装置１の上面（Ｚ方向）には、画像が記録された用紙が排出・収容される排出トレイ１ａが形成されている。
【００１６】
制御装置１０は、画像形成装置１の動作を制御する画像形成装置制御部１１と、印刷処理要求に応じた画像データを準備するコントローラ部１２、露光ヘッドＬＨの点灯を制御する露光制御部１３、電源装置１４等を有する。電源装置１４は、後述する帯電ローラ３２、現像ローラ４２、一次転写ローラ５２、二次転写ローラ５３等に高圧電圧を印加するとともに、露光ヘッドＬＨ、給紙装置２０、定着装置６０及び備えられた各センサ等に電力を供給する。
【００１７】
コントローラ部１２は、外部の情報送信装置（例えばパーソナルコンピュータ等）から入力された印刷情報を潜像形成用の画像情報に変換して予め設定されたタイミングで、駆動信号を露光ヘッドＬＨに出力する。本実施形態の露光ヘッドＬＨは、複数の発光素子（ＬＥＤ：Light  Emitting  Diode）が主走査方向に沿って線状に配列されたＬＥＤヘッドにより構成されている。
【００１８】
画像形成装置１の底部には、給紙装置２０が設けられている。給紙装置２０は、用紙積載板２１を備え、用紙積載板２１の上面には多数の記録媒体としての用紙Ｐが積載される。用紙積載板２１に積載され、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１９】
感光体ユニット３０は、給紙装置２０の上方（Ｚ方向）に、それぞれが並列して設けられ、回転駆動する像保持体としての感光体ドラム３１を備えている。感光体ドラム３１の回転方向に沿って、帯電ローラ３２、露光ヘッドＬＨ、現像ユニット４０、一次転写ローラ５２、クリーニングブレード３４が配置されている。帯電ローラ３２には、帯電ローラ３２の表面をクリーニングするクリーニングローラ３３が対向、接触して配置されている。
【００２０】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制部材４６が近接配置されている。
現像ユニット４０各々は、現像ハウジング４１に収容される現像剤を除いて略同様に構成され、それぞれがイエロー（Ｙ）、マゼンタ（Ｍ）、シアン（Ｃ）、黒（Ｋ）のトナー像を形成する。
【００２１】
回転する感光体ドラム３１の表面は、帯電ローラ３２により帯電され、露光ヘッドＬＨから出射する潜像形成光により静電潜像が形成される。感光体ドラム３１上に形成された静電潜像は現像ローラ４２によりトナー像として現像される。
【００２２】
転写ユニット５０は、各感光体ユニット３０の感光体ドラム３１にて形成された各色トナー像が多重転写される無端ベルトの一例としての中間転写ベルト５１、各感光体ユニット３０にて形成された各色トナー像を中間転写ベルト５１に順次転写（一次転写）する一次転写ローラ５２を備えている。さらに、中間転写ベルト５１上に重畳して転写された各色トナー像を記録媒体である用紙Ｐに一括転写（二次転写）する二次転写ローラ５３、中間転写ベルト５１上に付着している残留トナーを除去する中間転写ベルトクリーナ５７を備えて構成されている。
【００２３】
各感光体ユニット３０の感光体ドラム３１に形成された各色トナー像は、画像形成装置制御部１１により制御される電源装置１４等から所定の転写電圧が印加された一次転写ローラ５２により中間転写ベルト５１上に順次静電転写（一次転写）され、各色トナーが重畳された重畳トナー像が形成される。
【００２４】
中間転写ベルト５１上の重畳トナー像は、中間転写ベルト５１の移動に伴って二次転写ローラ５３が配置された領域（二次転写部ＴＲ）に搬送される。重畳トナー像が二次転写部ＴＲに搬送されると、そのタイミングに合わせて給紙装置２０から用紙Ｐが二次転写部ＴＲに供給される。そして、二次転写ローラ５３には、画像形成装置制御部１１により制御される電源装置１４等から所定の転写電圧が印加され、レジストローラ対２３から送り出され、搬送ガイドにより案内された用紙Ｐに中間転写ベルト５１上の多重トナー像が一括転写される。
【００２５】
感光体ドラム３１表面の残留トナーは、クリーニングブレード３４により除去され、廃トナー回収容器（不図示）に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２６】
定着装置６０は加熱モジュール６１と加圧モジュール６２を有し、加熱モジュール６１と加圧モジュール６２の圧接領域によって定着ニップ部Ｎ（定着領域）が形成される。
転写ユニット５０においてトナー像が転写された用紙Ｐは、トナー像が未定着の状態で搬送ガイドを経由して定着装置６０に搬送される。定着装置６０に搬送された用紙Ｐは、一対の加熱モジュール６１と加圧モジュール６２により、圧着と加熱の作用でトナー像が定着される。
定着トナー像が形成された用紙Ｐは、搬送ガイド６５ａ、６５ｂによってガイドされ、排出ローラ対６９から画像形成装置１上面の排出トレイ１ａに排出される。
【００２７】
（２）転写ユニットの構成とベルト交換操作
図２は本実施形態に係る画像形成装置１の転写ユニット５０の内部構成を示す斜視図、図３は転写ユニット５０のテンションローラ５６を支持するテンション機構１００を示す部分斜視図である。図４はテンション機構１００の構造を示す透過図、図５は画像形成装置１本体への転写ユニット５０の着脱を示す斜視図、図６は転写ユニット５０からテンションローラ５６とテンション機構１００を一体として交換する状態を示す斜視図である。以下、図面を参照しながら、転写ユニット５０の構成とベルト交換操作について説明する。
【００２８】
（２．１）転写ユニットの全体構成
転写ユニット５０は枠体５０Ａ、５０Ｂからなる筐体内に、中間転写ベルト５１が駆動ローラ５４、支持ローラ５５、テンションローラ５６に張架されて循環駆動されるように構成されている。
【００２９】
中間転写ベルト５１の内面側には、一次転写ローラ５２が、中間転写ベルト５１を挟んで各感光体ドラム３１に対向して設けられ、トナーの帯電極性と逆極性の電圧が印加されるようになっている。これにより、各々の感光体ドラム３１上のトナー像が中間転写ベルト５１に順次、静電吸引され、中間転写ベルト５１上に重畳されたトナー像が形成されるようになっている。
【００３０】
中間転写ベルト５１は、ポリイミドあるいはポリアミド等の樹脂にカーボンブラック等の導電剤を適当量含有させたものが用いられ、その体積抵抗率が１０６〜１０１４Ω・ｃｍとなるように形成されており、その厚みは例えば、０．１ｍｍ程度のフィルム状の無端ベルトで構成されている。
【００３１】
駆動ローラ５４は、枠体５０Ａ、５０Ｂの一端側で回転支持され、画像形成装置１本体に設けられた駆動機構（不図示）からの回転駆動を継手５４Ａで受けて、中間転写ベルト５１を循環駆動させる。
また、駆動ローラ５４は、中間転写ベルト５１の裏面側に配置されて二次転写ローラ５３のニップ荷重を受ける対向部材をなしている。
支持ローラ５５は、二次転写部ＴＲの上流側で中間転写ベルト５１の内周面に接触して回転自在に配置され、当接部材として中間転写ベルト５１を支持している。
テンションローラ５６は、枠体５０Ａ、５０Ｂの他端側で、後述する張力付与手段としての両側一対のテンション機構１００を介して回転可能に支持され、中間転写ベルト５１に対して一定の張力を与えると共に中間転写ベルト５１の蛇行を防止する。
【００３２】
（２．２）テンション機構
図４（ａ）、（ｂ）はテンション機構１００の構造を示す透過図であり、理解を容易にするために支持体１１０を実線、スライド部材１２０は破線、テンションローラ５６は細線で表している。図４（ａ）はテンションローラ５６に張力が付与されている状態、図４（ｂ）はテンションローラ５６の張力が解除されるときのスライド部材１２０の移動を示している。
【００３３】
図４（ａ）に示すように、テンション機構１００は、支持体１１０、スライド部材１２０、コイルバネ１３０、ロックピン１４０からなり、支持体１１０が枠体５０Ａ、５０Ｂに固定されて、テンションローラ５６を回転支持している。
【００３４】
支持体１１０は、一端側にテンションローラ５６の軸が挿通される貫通孔１１１が設けられている。貫通孔１１１は、テンションローラ５６の移動方向にテンションローラ５６の移動量よりも大きい長穴形状とされている。
支持体１１０の中央部には、後述する保持部材の一例としてのロックピン１４０が嵌挿される係止孔１１２が形成されている。
係止孔１１２を挟んで上下には、中間転写ベルト５１の張力を付与する方向にテンションローラ５６を付勢する弾性部材の一例としてのコイルバネ１３０を挿通して支持する支持軸１１３が形成されている。
支持体１１０の上下端には、スライド部材１２０の移動を案内する案内面１１４が設けられている。
【００３５】
スライド部材１２０は、一端側に軸受ＢＲを介してテンションローラ５６の軸を回転支持する軸受部１２１が設けられている。
スライド部材１２０の上下端には、支持体１１０に形成された案内面１１４に接触して案内されるスライド面１２２が形成されている。
スライド部材１２０の中央部には、ロックピン１４０が嵌挿される被係止孔１２３Ａが形成されている。また、軸受部１２１の上下にも同一形状の被係止孔１２３Ｂ、１２３Ｃが形成されている。中央部の被係止孔１２３Ａは、スライド部材１２０が、中間転写ベルト５１の張力が減少する方向にテンションローラ５６を移動させて張力を解除した解除位置に移動した際に、ロックピン１４０を介して支持体１１０の係止孔１１２に係止される。
【００３６】
スライド部材１２０の内面側（支持体１１０と面する側）には、被係止孔１２３Ａを挟んで上下に、支持体１１０の固定部１１３に固定されたコイルバネ１３０の他端を受ける受部１２４が形成されている。
【００３７】
スライド部材１２０は、スライド面１２２が支持体１１０の案内面１１４と接触した状態で被係止孔１２３Ａ、１２３Ｂ、１２３Ａを介してフランジ付ネジＳＷで互いに固定されている。
そして、スライド部材１２０は、フランジ付ネジＳＷを緩めて被係止孔１２３Ａ、１２３Ｂ、１２３Ｃの長穴の範囲で移動させることができる。
【００３８】
ロックピン１４０は、図４（ｂ）に示すように、支持体１１０の係止孔１１２に嵌挿されるピン１４０ｂの先端側はテーパ形状とされ、スライド部材１２０の被係止孔１２３に挿通される側は段付きの頭部１４０ａが設けられている。
尚、本実施形態においては、被係止孔１２３はロックピン１４０のピン１４０ｂが挿通される丸孔として形成されているが、係止孔１１２に雌ネジ部を形成するとともに、被係止孔１２３はスライド部材１２０の移動量よりも大きい長穴形状として、ロックピン１４０を公知の雄ネジとしても良い。ロックピン１４０に公知の雄ネジを用いれば、テンション機構１００にロックピン１４０を装着した状態で使用することができる。
【００３９】
このように構成されるテンション機構１００は、枠体５０Ａ、５０Ｂに固定されてテンションローラ５６を軸線と交差する方向に移動可能に回転支持し、テンションローラ５６を介して中間転写ベルト５１に内面側から張力を付与している。
【００４０】
（２．３）中間転写ベルトの交換操作
このようなユニット構成の画像形成装置１における中間転写ベルト５１の交換操作の手順について図面を参照しながら説明する。
【００４１】
図５に示すように、画像形成装置１の本体フレームＦＲには、フロント側（図４中  Ｙ方向）から各感光体ユニット３０、各現像ユニット４０が装着（図５中  矢印Ｒ１）されて固定されている。そして、各感光体ユニット３０、各現像ユニット４０の上方に転写ユニット５０が装着されている。
【００４２】
各感光体ユニット３０は、本体フレームＦＲに対してフロント側から着脱され、本体フレームＦＲには固定ノブＮＢで固定される。
同様に、現像ユニット４０も、本体フレームＦＲに対してＹ方向に着脱され、本体フレームＦＲには固定ネジＳ１で固定される。
転写ユニット５０は、操作ハンドル５０１を回転操作して、全ての一次転写ローラ５２（Ｙ）、（Ｍ）、（Ｃ）、（Ｋ）が感光体ドラム３１から離間した状態（メンテナンス位置）で、本体フレームＦＲに対してＹ方向に引き出し又は装着される。
【００４３】
このようにして、本体フレームＦＲから引き出された転写ユニット５０において、図４（ｂ）に示すように、テンション機構１００のスライド部材１２０を、中間転写ベルト５１の張力が減少する方向に移動させて張力を解除した解除位置に位置した状態で、ロックピン１４０を介して支持体１１０の係止孔１１２に係止して張力が解除された状態を保持する。
【００４４】
係る張力が解除された状態では、駆動ローラ５４、支持ローラ５５、テンションローラ５６に張架された中間転写ベルト５１の内面からテンションローラ５６が離れて、中間転写ベルト５１には弛みが形成される。
【００４５】
次に、転写ユニット５０を保持具（不図示）上で、枠体５０Ａ、５０Ｂの一端側を上側にして保持する。そして、テンション機構１００の張力が解除された状態を保持したまま、上側のテンション機構１００の支持体１１０を枠体５０Ａに固定しているネジを取り外して、枠体５０Ａ、５０Ｂ内に中間転写ベルト５１を残した状態で、上側のテンション機構１００をスライド部材１２０に支持されたテンションローラ５６とともに一体として引き抜いて取り外す（図６参照）。
【００４６】
上側のテンション機構１００がテンションローラ５６とともに引き抜かれた転写ユニット５０においては、枠体５０Ａ側から中間転写ベルト５１が取り外され、新たな中間転写ベルト５１が上側のテンション機構１００が引き抜かれた状態で枠体５０Ａ、５０Ｂ内に装着される。
【００４７】
そして、中間転写ベルト５１の内面側に、テンションローラ５６とともに上側のテンション機構１００が取り付けられ、支持体１１０が枠体５０Ａに固定された後、転写ユニット５０を保持具Ｈから取り外して、ロックピン１４０による支持体１１０とスライド部材１２０の係止を解除して、中間転写ベルト５１に張力を付与する。
【００４８】
中間転写ベルト５１が交換されて張力が付与された転写ユニット５０は、全ての一次転写ローラ５２（Ｙ）、（Ｍ）、（Ｃ）、（Ｋ）が感光体ドラム３１から離間した状態で本体フレームＦＲに対してＹ方向に装着され、その後、操作ハンドル５０１を回転操作して全ての一次転写ローラ５２（Ｙ）、（Ｍ）、（Ｃ）、（Ｋ）が感光体ドラム３１に当接した状態で固定される。
【００４９】
（３）テンション機構の作用・効果
本実施形態に係る画像形成装置１においては、転写ユニット５０が、枠体５０Ａ、５０Ｂからなる筐体内に、張力が付与された状態で表面が移動可能に支持された中間転写ベルト５１と、中間転写ベルト５１が張架されて軸線回りに回転し、軸線と交差する方向に移動可能に支持されたテンションローラ５６と、枠体５０Ａ、５０Ｂの両側面に設けられ、中間転写ベルト５１の張力を付与する方向にテンションローラ５６を付勢する一対のテンション機構１００と、中間転写ベルト５１の張力が減少する方向にテンションローラ５６を移動させて張力を解除した状態を、中間転写ベルト５１を介して保持するロックピン１４０と、を備え、テンション機構１００の一方が、ロックピン１４０を介して張力を解除した状態で、枠体５０Ａから着脱可能に設けられている。
【００５０】
その結果、テンション解除状態のテンション機構１００と、テンションローラ５６を一体として転写ユニット５０に対して着脱することができる。すなわち、テンション機構１００を構成する支持体１１０、スライド部材１２０、コイルバネ１３０等を分解して取り外すことなく、一体として取り外し、また取り付けることができ、中間転写ベルト５１を容易に交換することができる。
【００５１】
以上、本発明に係る実施形態を詳述したが、本発明は上記実施形態に限定されるものではなく、特許請求の範囲に記載された本発明の要旨の範囲内で種々の変更を行うことが可能である。
【００５２】
例えば、本実施形態では無端ベルトとして、中間転写ベルト５１を備えた中間転写方式の画像形成装置１について説明したが、搬送ベルト上に保持された記録媒体を介して感光体ドラムと接触して、感光体ドラム上のトナー像を転写・搬送する直接転写方式の画像形成装置における転写搬送ユニットであっても適用することができる。
また、タンデム方式の画像形成装置のみならず、１個の感光体ドラムを備えた画像形成装置における中間転写ベルトの交換機構であっても適用することができ、更に、用紙を静電吸着して保持する直接転写方式の転写ドラムにおける転写ベルトの交換機構であっても適用できる。
【符号の説明】
【００５３】
１・・・画像形成装置
排出トレイ１ａ 
１０・・・制御装置
２０・・・給紙装置 
３０・・・感光体ユニット
４０・・・現像ユニット
５０・・・転写ユニット
５０Ａ、５０Ｂ・・・枠体
５１・・・中間転写ベルト 
５２・・・一次転写ローラ
５４・・・駆動ローラ
５５・・・支持ローラ
５６・・・テンションローラ
６０・・・定着装置
１００・・・テンション機構
１１０・・・支持体
１１１・・・貫通孔（支持体）
１１２・・・係止孔（支持体）
１１３・・・支持軸（支持体）
１１４・・・案内面（支持体）
１２０・・・スライド部材
１２１・・・軸受部（スライド部材）
１２２・・・スライド面（スライド部材）
１２３Ａ、Ｂ、Ｃ・・・被係止孔（スライド部材）
１２４・・・受部（スライド部材）
１３０・・・コイルバネ
１４０・・・ロックピン
ＬＨ・・・露光ヘッド 
ＦＲ・・・本体フレーム
ＳＷ・・・フランジ付ネジ
【図１】
2015165263.tif 000003
【図２】
2015165263.tif 000004
【図３】
2015165263.tif 000005
【図４】
2015165263.tif 000006
【図５】
2015165263.tif 000007
【図６】
2015165263.tif 000008